(57)【要約】【課題】高速道路や有料道路の料金所ＥＴＣレーン等において、通行利用者にとって必要且つ重要な情報を、臨時的にあるいは緊急に報知するのに好適な、構成簡易で携帯可能な携帯型電光表示システムを提供することを課題とする。【解決手段】表示ユニットＡと操作ユニットＢとから成り、表示ユニットＡは、情報を表示する表示部２と、操作ユニットＢとの間で無線通信を行う通信モジュール３と、選択指令に基づいて表示部２に情報を表示させる制御部４とを含む表示板ケース１と、表示部２、通信モジュール３及び制御部４に電源を供給するバッテリー５とで構成され、操作ユニットＢは、情報の記憶手段と、表示ユニットＡとの間で無線通信を行う通信モジュール１２と、表示ユニットＡを遠隔制御するための制御部１３と、情報の選択手段と、電源とで構成される。【選択図】図１
2015212460.tif 000002
【特許請求の範囲】
【請求項１】
緊急情報や臨時情報を電光表示する表示ユニットと、前記表示ユニットを遠隔操作して前記情報を表示させる操作ユニットとから成る携帯型電光表示システムであって、
前記表示ユニットは、前記情報を表示する表示部、前記操作ユニットとの間で無線通信を行う通信モジュール、及び、前記通信モジュールを介して受信した前記操作ユニットからの選択指令に基づいて前記表示部に前記情報を表示させる制御部を含む表示板ケースと、前記表示部、通信モジュール及び制御部に電源を供給するバッテリーとで構成されて任意の個所に設置可能であり、前記操作ユニットは、前記情報の記憶手段と、前記表示ユニットとの間で無線通信を行う通信モジュールと、前記表示ユニットを遠隔制御するための制御部と、前記情報の選択手段と、電源とで構成されて前記表示ユニットから離れた場所に配置され、
前記選択手段による選択に基づく選択指令が前記操作ユニットから前記表示ユニットに送信され、前記表示ユニットにおいて当該選択指令に係る情報が取り出されて表示されるようにしたことを特徴とする携帯型電光表示システム。
【請求項２】
前記表示ユニットの制御部において前記バッテリーの電圧が定期的に検出され、その検出結果が前記操作ユニットに送信されて電圧降下の評価がなされ、設定値以上の電圧降下があった場合に音声及び／又は光による警告がなされる、請求項１に記載の携帯型電光表示システム。
【請求項３】
前記表示ユニットのバッテリーからの電源供給は、非表示時には前記制御部及び前記通信モジュールに対してのみなされる、請求項１又は２に記載の携帯型電光表示システム。
【請求項４】
前記表示部への電源供給は、表示開始後設定時間経過することにより遮断される、請求項１乃至３のいずれかに記載の携帯型電光表示システム。
【請求項５】
前記表示ユニットを構成する表示板ケース及びバッテリーの裏面に永久磁石が定着され、以て、任意の磁着可能個所に設置可能にされた、請求項１乃至４のいずれかに記載の携帯型電光表示システム。
【発明の詳細な説明】
【技術分野】
【０００１】
本発明は、携帯型電光表示システムに関するものであり、より詳細には、全体的にコンパクトな構成で手軽に携帯でき、表示部は任意の場所に簡単に設置可能で遠隔制御することができ、臨時的使用、あるいは、緊急時使用に好適な携帯型電光表示システムに関するものである。
【背景技術】
【０００２】
例えば、高速道路や有料道路の料金所ＥＴＣレーン等において、通行利用者にとって必要且つ重要な情報を、臨時的にあるいは緊急に報知する必要が生じた場合、スピーカーから音声情報を流すことによって情報の伝達を行っているが、冬期等においてはウインドウを閉じたままのことが多く、また、オーディオ等を音量を上げて聴いているような場合もあり、その音声情報が伝わっていないことが少なくない。
【０００３】
そこで、そのような場合を考慮して、音声情報と共にあるいは音声情報に代えて、何らかの視認可能な表示を行うことで視覚に訴えることが考えられる。そのためには、例えば、予め料金所ＥＴＣレーン近辺部にかかる用途のための電光表示装置を設置しておくことが考えられる。しかし、電光表示装置を各所に配備することは、設置条件が厳しい上、工事に時間とコストがかかり、メンテナンス上の問題もあって、現実的ではない。
【０００４】
従来、容易に設置可能で、臨時的にないし緊急時に使用することを想定した携帯型の電光表示装置が種々提案されている。例えば、特許文献１（特開平１１−５２８８６号公報）には、「人力にて持ち運び可能な重量及び大きさに構成した携帯型発光表示装置であって、複数の発光素子によって文字や図形等のパターンを表示するための表示部を有する本体部分と、その本体部分を支持する脚部分と、発光素子に対して電気を供給する電源と、表示部に表示すべきパターンを制御するための制御回路とを含む」構成の携帯型発光表示装置が開示されている。
【０００５】
しかし、この提案に係る携帯型発光表示装置の場合は、主に工事現場において使用することを想定したものであって、ある程度遠方から視認可能にする必要があるため、携帯可能といっても、脚柱や支柱によって箱状に形成された表示部を縦長に支持する構成の比較的大型のものであり、人が小脇に抱えて持ち運べるレベルのものではない。また、設置にある程度のスペースが必要となり、電源が必要となるところから、設置場所にも制約が伴う。
【０００６】
また、特許文献２（実用新案登録第３０６２４１号公報）には、「道路工事現場等の通行規制道路における通行車両誘導において、誘導規制内容が通行する車両の運転者や同乗者に明確に認識可能な電光表示装置であって、工事及び周囲の状況を把握している誘導警備員が前記電光表示装置の表示内容等の情報をリモートコントローラーを用いて、任意に切り替えることが出来ることを特徴とするリモートコントロール可能な電光表示装置」が開示されている。
【０００７】
しかるに、この特許文献２の電光表示板の場合は、その図２からも明らかなように、表示装置の高さは大人の身長よりも高いものであって、到底、手軽に携帯し得るものではなく、また、上記特許文献１の場合と同様に、設置にある程度のスペースが必要であって、設置場所に制限が伴う。
【先行技術文献】
【特許文献】
【０００８】
【特許文献１】特開平１１−５２８８６号公報
【特許文献２】実用新案登録第３０６２４３１号公報
【発明の概要】
【発明が解決しようとする課題】
【０００９】
上述したように、高速道路や有料道路の料金所ＥＴＣレーン等において、通行利用者にとって必要且つ重要な情報を、臨時的にあるいは緊急に報知する必要が生ずることが少なくないが、従来提案されているこのような場合に利用し得る電光表示装置は大型で、本発明において求める構成簡易で携帯可能という要求に応え得るものではなかった。
【００１０】
本発明はかかる背景の下になされたものであって、高速道路や有料道路の料金所ＥＴＣレーン等において、通行利用者にとって必要且つ重要な情報を、臨時的にあるいは緊急に報知するのに好適な、構成簡易で携帯可能且つ設置容易な携帯型電光表示システムを提供することを課題とする。
【課題を解決するための手段】
【００１１】
上記課題を解決するための請求項１に記載の発明は、緊急情報や臨時情報を電光表示する表示ユニットと、前記表示ユニットを遠隔操作して前記情報を表示させる操作ユニットとから成る携帯型電光表示システムであって、前記表示ユニットは、前記情報を表示する表示部、前記操作ユニットとの間で無線通信を行う通信モジュール、及び、前記通信モジュールを介して受信した前記操作ユニットからの選択指令に基づいて前記表示部に前記情報を表示させる制御部を含む表示板ケースと、前記表示部、通信モジュール及び制御部に電源を供給するバッテリーとで構成されて任意の個所に設置可能であり、前記操作ユニットは、前記情報の記憶手段と、前記表示ユニットとの間で無線通信を行う通信モジュールと、前記表示ユニットを遠隔制御するための制御部と、前記情報の選択手段と、電源とで構成されて前記表示ユニットから離れた場所に配置され、前記選択手段による選択に基づく選択指令が前記操作ユニットから前記表示ユニットに送信され、前記表示ユニットにおいて当該選択指令に係る情報が取り出されて表示されるようにしたことを特徴とする携帯型電光表示システムである。
【００１２】
一実施形態においては、前記表示ユニットの制御部において前記バッテリーの電圧が定期的に検出され、その検出結果が前記操作ユニットに送信されて電圧降下の評価がなされ、設定値以上の電圧降下があった場合に音声及び／又は光による警告がなされる。
【００１３】
一実施形態においては、非表示時には、前記表示ユニットのバッテリーからの電源供給は前記制御部及び前記通信モジュールに対してのみなされ、また、前記表示部への電源供給は、表示開始後設定時間経過することにより遮断される。
【００１４】
一実施形態においては、前記表示ユニットを構成する表示板ケース及びバッテリーの裏面に永久磁石が定着され、以て、任意の磁着可能個所に設置可能にされる。
【発明の効果】
【００１５】
本発明は上述したとおりであって、全体的にコンパクトな構成で手軽に携帯でき、表示部は任意の場所に簡単に設置可能で遠隔制御することができ、臨時的使用、あるいは、緊急時使用に即対応可能で、必要な情報を迅速且つ適切に表示することができ、以て、高速道路や有料道路の料金所ＥＴＣレーン等における円滑且つ安全な走行を可能にする効果がある。
【００１６】
請求項２乃至４に係る発明においては、バッテリーからの電源供給は必要時においてのみなされるために、バッテリーの消耗が抑えられてバッテリー寿命が延び、また、逐次バッテリーの消耗量がチェックされ、電圧降下が所定値以上となった場合に警報を発するようにしたため、使用中にバッテリー切れが起こるおそれがないという効果がある。
【００１７】
また、請求項５に係る発明においては、表示ユニットを磁着可能な任意の個所に簡単に安定した状態に設置することが可能という効果がある。
【図面の簡単な説明】
【００１８】
【図１】本発明に係る携帯型電光表示システムの概念図である。
【図２】本発明に係る携帯型電光表示システムの概略構成図である。
【発明を実施するための形態】
【００１９】
本発明を実施するための形態につき、添付図面を参照しつつ説明する。本発明に係る携帯型電光表示システムは、例えば、料金所ＥＴＣレーンや工事現場等において、利用者に対して種々の情報を緊急報知あるいは臨時報知するために、当該料金所ＥＴＣレーンや工事現場に一時的に、あるいは、その後ある期間継続的に設置されて使用されるもので、必要情報を電光表示する表示ユニットＡと、表示ユニットＡを遠隔操作して上記情報を表示させる操作ユニットＢとで構成される。
【００２０】
表示ユニットＡは、情報を表示する表示部２を備え、操作ユニットＢとの間で無線通信を行う通信モジュール３と、通信モジュール３を介して受信した操作ユニットＢからの指令に基づいて、表示部２に情報を表示させる制御部４とを内蔵した表示板ケース１と、表示部２、通信モジュール３及び制御部４に電源を供給するためのバッテリー５とで構成される。表示板ケース１には、必要に応じ、ＵＳＢ端子等のパソコン・インターフェイス６が配設される。表示ユニットＡは、任意の個所に設置可能にされる。そのために、例えば、表示板ケース１及びバッテリー５の裏面に永久磁石が定着され、料金所ＥＴＣレーンや工事現場近辺の磁性材部分に着脱可能に取り付けられる。
【００２１】
本発明に係る携帯型電光表示システムによる表示は、情報の報知対象者に対して比較的至近距離において行われることが多いため、表示板ケース１は小型軽量のもので足りる。表示部２においては、通例、ＬＥＤによって文字や図形等がバッテリー駆動によって表示されるが、その表示は、例えば、３２×１６ドットで２文字を表わすものとされ、好ましくは、点滅表示、縦横表示、スクロール表示等が可能にされ、また、表示スピードが可変なものとされる。
【００２２】
表示部２によって表示されるメッセージは設置場所によって異なるが、ある程度パターン化可能である。例えば、料金所ＥＴＣレーンの場合は、「バックしないでください」、「危険です、バックしないでください」、「窓を開けてください」、「バーの手前までお進みください、インターフォンで案内いたします」、「目的ＩＣでは一般レーンをご利用ください」といったメッセージが想定される。これらのメッセージとその表示態様が、予めパソコンによって作成・編集され、表示ユニットＡの制御部４及び操作ユニットＢの制御部１３に記憶される。
【００２３】
バッテリー５としては、乾電池、充電池、蓄電池又はＡＣアダプターを用いることができ、ケーブルを介して表示ユニットＡに接続される。本発明においては、このバッテリー５の寿命を延ばすための省エネ対策が施される。即ち、制御部４に、通常時は制御部４と通信モジュール３にのみ電源を供給し、表示部２には表示時にのみ供給する制御回路を組み込み、また、表示部２の表示駆動後、所定時間（例えば、１分）経過した時点で表示部２に対する電源を遮断するタイマー回路を組み込むこととする。また、後述するように、常時バッテリー５の電圧降下が監視される。
【００２４】
操作ユニットＢは、表示ユニットＡとの間で無線通信を行うための通信モジュール１２と、全体を制御管理する制御部１３と、バッテリー１４とで構成され、必要に応じ、アラームブザー１５やモニターが配備される。この操作ユニットＢの制御部１３は、パソコンによって作成・編集されて表示ユニットＡの制御部４に記憶された表示情報を、通信モジュール３、１２を介して選択し、選択した情報を表示させる。上記のとおり、その表示情報は、文字、図形又はその両者による報知内容、点滅表示か、縦横いずれの方向の表示か、スクロール表示か、表示スピードはどの程度か等に関するものである。
【００２５】
操作ユニットＢには、情報の選択手段として、制御部１３に記憶されているメッセージそれぞれに対応する選択ボタン１６が配設され、この選択ボタン１６を押すことによって、状況に応じた適切なメッセージが選択される。この選択ボタン１６の押下操作に伴って選択信号が、通信モジュール３、１２を介して表示ユニットＡの制御部４に送られ、制御部４に記憶されている当該選択信号に対応する表示情報が取り出され、表示部２に送られて表示される。
【００２６】
表示ユニットＡの制御部４は、バッテリー５の電圧を定期的に、例えば、１時間ごとに検出し、その検出結果を操作ユニットＢ側に送信する機能を有する。このバッテリー５の電圧の検出結果は、操作ユニットＢの制御部１３においてその都度評価され、設定値以下に降下している場合は、アラームブザー１５を鳴動させ、また、警告ランプを点滅させたりすることで、充電や交換を促す。
【００２７】
本発明に係る携帯型電光表示システムは上記のような構成であって、全体的にコンパクト且つ軽量であるため、任意の場所（電源を確保できない場所も可）に携帯して持ち込んで使用することができる。使用に際しては、先ず、表示ユニットＡを、例えば、料金所ＥＴＣレーンや工事現場近辺の、利用者の目につきやすい個所に設置し、操作ユニットＢは、そこから離れた監視所等に配置し、そこに常駐する監視員による操作に供される。表示ユニットＡ及び操作ユニットＢには、予め必要情報が記憶されるが、必要に応じ、当該監視所に存するパソコンから、変化する状況に対応するように、情報を追加したり、変更したりすることもできる。
【００２８】
監視員は、ＥＴＣレーン等をモニターを介して監視しているが、臨時に又は緊急事態発生等に伴って通行利用者に対して特別な案内が必要となった場合は、スピーカーから音声で対応について案内を流すが、それと共に、本発明に係る携帯型電光表示システムを用い、必要情報を視覚的に提供する。その場合監視員は、操作ユニットＢの、提供しようとする情報に対応する選択ボタンを選択押下するが、それにより選択信号が表示ユニットＡの制御部４に送られ、制御部４は当該選択信号に対応するメッセージを表示部２に供給して表示させる。
【００２９】
本発明に係る携帯型電光表示システムは、料金所ＥＴＣレーンや工事現場等において一時的に、あるいは、その後ある期間継続的に設置して使用するが、用済みとなった場合は、取り外して別の場所に運んで即座に使用することが可能である。その場合は、必要に応じて、適宜表示情報の入れ替えを行う。
【００３０】
この発明をある程度詳細にその最も好ましい実施形態について説明してきたが、この発明の精神と範囲に反することなしに広範に異なる実施形態を構成することができることは明白である。従って、この発明は、特許請求の範囲において限定した以外はその特定の実施形態に制約されるものではない。
【符号の説明】
【００３１】
Ａ      表示ユニット
Ｂ      操作ユニット
１      表示板ケース
２      表示部
３      通信モジュール
４      制御部
５      バッテリー
６      パソコン・インターフェイス
１２    通信モジュール
１３    制御部
１４    電源
１５    アラームブザー
１６    選択ボタン
【図１】
2015212460.tif 000003
【図２】
2015212460.tif 000004
【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
緊急情報や臨時情報を電光表示する表示ユニットと、前記表示ユニットを遠隔操作して前記情報を表示させる操作ユニットとから成る携帯型電光表示システムであって、
前記表示ユニットは、前記情報を表示する表示部、前記操作ユニットとの間で無線通信を行う通信モジュール、及び、前記情報の記憶部を含んでいて、前記通信モジュールを介して受信した前記操作ユニットからの選択指令に基づいて前記表示部に前記情報を表示させる制御部を含む表示板ケースと、前記表示部、通信モジュール及び制御部に電源を供給するバッテリーとで構成され、前記表示板ケースはその裏面に永久磁石が定着されることにより、任意の磁着可能個所に設置可能であり、前記操作ユニットは、前記情報の記憶手段と、前記表示ユニットとの間で無線通信を行う通信モジュールと、前記表示ユニットを遠隔制御するための制御部と、前記情報の選択手段と、電源とで構成されて前記表示ユニットから離れた場所に配置され、
前記表示ユニットの情報記憶部と前記操作ユニットの情報記憶手段には、予め複数設定された共通の前記情報が記録されていて、前記選択手段による選択に基づく選択指令が前記操作ユニットから前記表示ユニットに送信されることにより、前記表示ユニットにおいて前記表示ユニットの情報記憶部から当該選択指令に係る情報が取り出されて表示されるようにしたことを特徴とする携帯型電光表示システム。
【請求項２】
前記表示ユニットの制御部において前記バッテリーの電圧が定期的に検出され、その検出結果が前記操作ユニットに送信されて電圧降下の評価がなされ、設定値以上の電圧降下があった場合に音声及び／又は光による警告がなされる、請求項１に記載の携帯型電光表示システム。
【請求項３】
前記表示ユニットのバッテリーからの電源供給は、非表示時には前記制御部及び前記通信モジュールに対してのみなされる、請求項１又は２に記載の携帯型電光表示システム。
【請求項４】
前記表示部への電源供給は、表示開始後設定時間経過することにより遮断される、請求項１乃至３のいずれかに記載の携帯型電光表示システム。
【手続補正２】
【補正対象書類名】明細書
【補正対象項目名】００１１
【補正方法】変更
【補正の内容】
【００１１】
上記課題を解決するための請求項１に記載の発明は、緊急情報や臨時情報を電光表示する表示ユニットと、前記表示ユニットを遠隔操作して前記情報を表示させる操作ユニットとから成る携帯型電光表示システムであって、前記表示ユニットは、前記情報を表示する表示部、前記操作ユニットとの間で無線通信を行う通信モジュール、及び、前記情報の記憶部を含んでいて、前記通信モジュールを介して受信した前記操作ユニットからの選択指令に基づいて前記表示部に前記情報を表示させる制御部を含む表示板ケースと、前記表示部、通信モジュール及び制御部に電源を供給するバッテリーとで構成され、前記表示板ケースはその裏面に永久磁石が定着されることにより、任意の磁着可能個所に設置可能であり、前記操作ユニットは、前記情報の記憶手段と、前記表示ユニットとの間で無線通信を行う通信モジュールと、前記表示ユニットを遠隔制御するための制御部と、前記情報の選択手段と、電源とで構成されて前記表示ユニットから離れた場所に配置され、前記表示ユニットの情報記憶部と前記操作ユニットの情報記憶手段には、予め複数設定された共通の前記情報が記録されていて、前記選択手段による選択に基づく選択指令が前記操作ユニットから前記表示ユニットに送信されることにより、前記表示ユニットにおいて前記表示ユニットの情報記憶部から当該選択指令に係る情報が取り出されて表示されるようにしたことを特徴とする携帯型電光表示システムである。
【手続補正３】
【補正対象書類名】明細書
【補正対象項目名】００１３
【補正方法】変更
【補正の内容】
【００１３】
一実施形態においては、前記表示ユニットのバッテリーからの電源供給は、非表示時には前記制御部及び前記通信モジュールに対してのみなされる。
【手続補正４】
【補正対象書類名】明細書
【補正対象項目名】００１４
【補正方法】変更
【補正の内容】
【００１４】
一実施形態においては、前記表示部への電源供給は、表示開始後設定時間経過することにより遮断される。
【手続補正５】
【補正対象書類名】明細書
【補正対象項目名】００１７
【補正方法】変更
【補正の内容】
【００１７】
また、本発明に係る携帯型電光表示システムは、表示ユニットを磁着可能な任意の個所に簡単に安定した状態に設置することが可能という効果がある。